(57)【要約】【課題】端子の接続部の変形を防止することができるコネクタを提供する。【解決手段】インナハウジング３と、フード部５と端子挿入孔７とが設けられたアウタハウジング９と、インナハウジング３の内部に配置され接続部１１を有する端子１３と、端子挿入孔７に挿入され端子１３の接続部１１に接続される相手端子１５とを備えたコネクタ１において、インナハウジング３に、端子挿入孔７と対向する側面から端子１３の接続部１１を覆うように延設され、インナハウジング３がアウタハウジング９のフード部５に収容された状態で少なくともいずれか一方が端子挿入孔７に挿入される一対の変形防止リブ１７，１７を設けた。【選択図】図２
2014120424.tif 000002
【特許請求の範囲】
【請求項１】
インナハウジングと、一側面側に前記インナハウジングが挿入されるフード部が設けられ他側面側に内部に貫通した端子挿入孔が設けられたアウタハウジングと、前記インナハウジングの内部に配置され前記インナハウジングが前記アウタハウジングのフード部に収容された状態で前記端子挿入孔に配置される接続部を有する端子と、前記アウタハウジングの端子挿入孔に挿入され前記端子の接続部に接続される相手端子とを備えたコネクタであって、
前記インナハウジングには、前記アウタハウジングの端子挿入孔と対向する側面から前記端子の接続部を覆うように延設され、前記インナハウジングが前記アウタハウジングのフード部に収容された状態で少なくともいずれか一方が前記端子挿入孔に挿入される一対の変形防止リブが設けられていることを特徴とするコネクタ。
【請求項２】
請求項１記載のコネクタであって、
前記アウタハウジングの端子挿入孔には、前記相手端子を係止する係止ランスが内壁から撓み可能に突設され、
前記係止ランスと前記内壁との間には、前記一方の変形防止リブを挿入可能な挿入溝が設けられ、
前記一方の変形防止リブは、前記係止ランスが前記相手端子によって前記挿入溝内に撓まされた状態で前記係止ランスに当接され、前記係止ランスが前記相手端子を係止した状態で前記挿入溝に挿入可能であることを特徴とするコネクタ。
【請求項３】
請求項２記載のコネクタであって、
前記相手端子は、前記一方の変形防止リブが前記係止ランスに当接した状態で前記端子の接続部に接続されることを特徴とするコネクタ。
【請求項４】
請求項１乃至３のいずれか１項に記載のコネクタであって、
前記端子は、前記インナハウジングの内部に複数列配置され、
前記一対の変形防止リブは、前記複数の端子の配列方向に沿って連続する一部材で形成されていることを特徴とするコネクタ。
【発明の詳細な説明】
【技術分野】
【０００１】
本発明は、コネクタに関する。
【背景技術】
【０００２】
従来、コネクタとしては、端子としての基板側接続部材が内部に配置された第１ハウジングと、相手端子としての電線側接続部材が内部に配置され第１ハウジングの筒状嵌合部内に嵌合される第２ハウジングとを備えたものが知られている（例えば、特許文献１参照）。
【０００３】
このコネクタでは、第１ハウジングの筒状嵌合部内に基板側接続部材の接続部としてのタブ状連結部が配置され、この筒状嵌合部に第２ハウジングを嵌合することにより、タブ状連結部が電線側接続部材の角筒部内に挿入され、基板側接続部材と電線側接続部材とが接続される。
【先行技術文献】
【特許文献】
【０００４】
【特許文献１】特開２００２−３６７６９６号公報
【発明の概要】
【発明が解決しようとする課題】
【０００５】
しかしながら、上記特許文献１のようなコネクタでは、第２ハウジングが嵌合される比較的間口の広い第１ハウジングの筒状嵌合部内に端子の接続部が配置されているので、搬送時における他部材との干渉などの外力によって端子の接続部が変形する可能性があった。
【０００６】
そこで、この発明は、端子の接続部の変形を防止することができるコネクタの提供を目的としている。
【課題を解決するための手段】
【０００７】
請求項１記載の発明は、インナハウジングと、一側面側に前記インナハウジングが挿入されるフード部が設けられ他側面側に内部に貫通した端子挿入孔が設けられたアウタハウジングと、前記インナハウジングの内部に配置され前記インナハウジングが前記アウタハウジングのフード部に収容された状態で前記端子挿入孔に配置される接続部を有する端子と、前記アウタハウジングの端子挿入孔に挿入され前記端子の接続部に接続される相手端子とを備えたコネクタであって、前記インナハウジングには、前記アウタハウジングの端子挿入孔と対向する側面から前記端子の接続部を覆うように延設され、前記インナハウジングが前記アウタハウジングのフード部に収容された状態で少なくともいずれか一方が前記端子挿入孔に挿入される一対の変形防止リブが設けられていることを特徴とする。
【０００８】
このコネクタでは、インナハウジングにアウタハウジングの端子挿入孔と対向する側面から端子の接続部を覆うように延設され、インナハウジングがアウタハウジングのフード部に収容された状態で少なくともいずれか一方が端子挿入孔に挿入される一対の変形防止リブが設けられているので、少なくともいずれか一方が端子挿入孔に挿入されるような間口の狭い一対の変形防止リブ間に端子の接続部が配置されていることになる。
【０００９】
従って、このようなコネクタでは、端子の接続部が間口の狭い一対の変形防止リブ間に配置されているので、搬送時などにおける端子の接続部への外力の影響を抑制することができ、端子の接続部の変形を防止することができる。
【００１０】
請求項２記載の発明は、請求項１記載のコネクタであって、前記アウタハウジングの端子挿入孔には、前記相手端子を係止する係止ランスが内壁から撓み可能に突設され、前記係止ランスと前記内壁との間には、前記一方の変形防止リブを挿入可能な挿入溝が設けられ、前記一方の変形防止リブは、前記係止ランスが前記相手端子によって前記挿入溝内に撓まされた状態で前記係止ランスに当接され、前記係止ランスが前記相手端子を係止した状態で前記挿入溝に挿入可能であることを特徴とする。
【００１１】
このコネクタでは、一方の変形防止リブが、係止ランスが相手端子によって挿入溝内に撓まされた状態で係止ランスに当接され、係止ランスが相手端子を係止した状態で挿入溝に挿入可能であるので、一方の変形防止リブの挿入溝への挿入状態、すなわちインナハウジングのアウタハウジングへの挿入状態によって、相手端子の挿入状態を検知することができる。加えて、相手端子の挿入状態を検知するための別部材を用いる必要がなく、部品点数を削減することができる。
【００１２】
請求項３記載の発明は、請求項２記載のコネクタであって、前記相手端子は、前記一方の変形防止リブが前記係止ランスに当接した状態で前記端子の接続部に接続されることを特徴とする。
【００１３】
このコネクタでは、相手端子が一方の変形防止リブが係止ランスに当接した状態で端子の接続部に接続されるので、相手端子が係止ランスに本係止されていない状態、すなわちインナハウジングとアウタハウジングとの仮係止状態で端子と相手端子とが接続される。このため、インナハウジングとアウタハウジングとが本係止状態に移行する際の相手端子と端子の接続部との挿入力を低減することができる。
【００１４】
請求項４記載の発明は、請求項１乃至３のいずれか１項に記載のコネクタであって、前記端子は、前記インナハウジングの内部に複数列配置され、前記一対の変形防止リブは、前記複数の端子の配列方向に沿って連続する一部材で形成されていることを特徴とする。
【００１５】
このコネクタでは、一対の変形防止リブが複数の端子の配列方向に沿って連続する一部材で形成されているので、一対の変形防止リブの剛性を向上することができると共に、広い範囲で端子の接続部を保護することができる。
【発明の効果】
【００１６】
本発明によれば、端子の接続部の変形を防止することができるコネクタを提供することができるという効果を奏する。
【図面の簡単な説明】
【００１７】
【図１】本発明の実施の形態に係るコネクタの斜視図である。
【図２】本発明の実施の形態に係るコネクタの断面図である。
【図３】（ａ）は本発明の実施の形態に係るコネクタのインナハウジングの斜視図である。（ｂ）は本発明の実施の形態に係るコネクタのインナハウジングの側面図である。（ｃ）は本発明の実施の形態に係るコネクタのインナハウジングの断面図である。
【図４】（ａ）は本発明の実施の形態に係るコネクタのアウタハウジングの正面図である。（ｂ）は本発明の実施の形態に係るコネクタのアウタハウジングの背面図である。（ｃ）は本発明の実施の形態に係るコネクタのアウタハウジングの断面図である。
【図５】本発明の実施の形態に係るコネクタのインナハウジングをアウタハウジングに仮係止したときの断面図である。
【図６】本発明の実施の形態に係るコネクタのインナハウジングをアウタハウジングに仮係止した状態で相手端子を端子挿入孔に挿入したときの断面図である。
【図７】本発明の実施の形態に係るコネクタの相手端子の半挿入状態での断面図である。
【図８】本発明の実施の形態に係るコネクタの相手端子の正規挿入状態での断面図である。
【発明を実施するための形態】
【００１８】
図１〜図８を用いて本発明の実施の形態に係るコネクタについて説明する。
【００１９】
本実施の形態に係るコネクタ１は、インナハウジング３と、一側面側にインナハウジング３が挿入されるフード部５が設けられ他側面側に内部に貫通した端子挿入孔７が設けられたアウタハウジング９と、インナハウジング３の内部に配置されインナハウジング３がアウタハウジング９のフード部５に収容された状態で端子挿入孔７に配置される接続部１１を有する端子１３と、アウタハウジング９の端子挿入孔７に挿入され端子１３の接続部１１に接続される相手端子１５とを備えている。
【００２０】
そして、インナハウジング３には、アウタハウジング９の端子挿入孔７と対向する側面から端子１３の接続部１１を覆うように延設され、インナハウジング３がアウタハウジング９のフード部５に収容された状態で少なくともいずれか一方が端子挿入孔７に挿入される一対の変形防止リブ１７，１７が設けられている。
【００２１】
また、アウタハウジング９の端子挿入孔７には、相手端子１５を係止する係止ランス１９が内壁から撓み可能に突設され、係止ランス１９と内壁との間には、一方の変形防止リブ１７を挿入可能な挿入溝２１が設けられ、一方の変形防止リブ１７は、係止ランス１９が相手端子１５によって挿入溝２１内に撓まされた状態で係止ランス１９に当接され、係止ランス１９が相手端子１５を係止した状態で挿入溝２１に挿入可能である。
【００２２】
さらに、相手端子１５は、一方の変形防止リブ１７が係止ランス１９に当接した状態で端子１３の接続部１１に接続される。
【００２３】
また、端子１３は、インナハウジング３の内部に複数列配置され、一対の変形防止リブ１７，１７は、複数の端子１３の配列方向に沿って連続する一部材で形成されている。
【００２４】
図１〜図８に示すように、インナハウジング３は、合成樹脂などの絶縁性材料からなり、幅方向に複数列配置された端子収容室２３が高さ方向に２段設けられている。このインナハウジング３の一側面側には、合成樹脂などの絶縁性材料からなるハウジング内に回路基板がインサート成形され、ハウジングから露出する回路基板の端部に回路パターンを構成する複数の導体部が幅方向に複数列設けられた基板ユニット２５が組付けられる。また、基板ユニット２５とインナハウジング３との間には、基板ユニット２５とインナハウジング３とに密着して基板ユニット２５とインナハウジング３との間を防水するゴムパッキン２７が配置される。このようなインナハウジング３は、アウタハウジング９内に収容される。
【００２５】
アウタハウジング９は、合成樹脂などの絶縁性材料からなり、一側面側にインナハウジング３及び基板ユニット２５の端部が挿入されるフード部５が設けられ、他側面側に相手端子１５が挿入される複数の端子挿入孔７が設けられている。このアウタハウジング９内に収容されるインナハウジング３の複数の端子収容室２３には、それぞれ端子１３が収容される。
【００２６】
複数の端子１３は、薄板状の導電性材料からなり、それぞれインナハウジング３の端子収容室２３に収容され、インナハウジング３の幅方向に複数列配置される。この端子１３は、それぞれ基板ユニット２５の導体部に接続される基板接続部２９と、この基板接続部２９と反対側に設けられ相手端子１５に接続される接続部１１とを有している。
【００２７】
端子１３の基板接続部２９は、一端側に設けられた弾性接触片となっている。この基板接続部２９は、複数の端子１３をインナハウジング３の端子収容室２３の上段と下段とに上下対称に収容することにより、一対の弾性接触片となる。
【００２８】
この一対の基板接続部２９，２９間に基板ユニット２５の導体部を挿入することにより、一対の基板接続部２９，２９が導体部に接続され、基板ユニット２５と複数の端子１３とが導通される。このような基板接続部２９の反対側には、接続部１１が連続する一部材で設けられている。
【００２９】
端子１３の接続部１１は、他端側に設けられたタブ状の雄型端子となっている。この接続部１１は、複数の端子１３をインナハウジング３の端子収容室２３に収容し、インナハウジング３をアウタハウジング９のフード部５から挿入することにより、アウタハウジング９の複数の端子挿入孔７に配置される。
【００３０】
複数の端子挿入孔７は、アウタハウジング９の他側面に内部に貫通して設けられている。この複数の端子挿入孔７には、それぞれフード部５側から端子１３の接続部１１が挿入され、外部側から相手端子１５が挿入される。
【００３１】
複数の相手端子１５は、導電性材料からなり、電線３１の端末に接続され、箱状の接続部を有する雌型端子となっている。また、相手端子１５に接続された電線３１と端子挿入孔７との間には、電線３１と端子挿入孔７とに密着して電線３１と端子挿入孔７との間を防水するマットシール３３が配置され、端子挿入孔７の開口にマットシールカバー３５が組付けられて閉塞される。
【００３２】
この複数の相手端子１５は、インナハウジング３がアウタハウジング９のフード部５内の正規位置に位置していない仮係止状態で、それぞれ複数の端子挿入孔７に挿入されることにより、端子１３の接続部１１が挿入されて接続され、端子１３を介して基板ユニット２５に導通される。なお、インナハウジング３は、相手端子１５が端子挿入孔７に挿入された後、アウタハウジング９のフード部５内の正規位置に位置する本係止状態に移行される。
【００３３】
このようなコネクタ１において、インナハウジング３には、端子１３の接続部１１を保護すると共に、相手端子１５の挿入状態を検知する一対の変形防止リブ１７，１７が設けられている。
【００３４】
一対の変形防止リブ１７，１７は、インナハウジング３のアウタハウジング９の端子挿入孔７と対向する側面から端子１３の接続部１１を覆うように延設され、複数の端子１３の配列方向、すなわちインナハウジング３の幅方向に沿って連続する一部材で形成されている。
【００３５】
なお、ここでは、インナハウジング３の端子収容室２３が高さ方向に２段設けられているので、変形防止リブ１７が各段の端子１３の接続部１１を覆うようにインナハウジング３の高さ方向に３段設けられ、各段の端子１３の接続部１１を覆う変形防止リブ１７が一対の変形防止リブ１７，１７となっている。
【００３６】
この一対の変形防止リブ１７，１７のうち端子１３の接続部１１の上側に位置される一方の変形防止リブ１７は、インナハウジング３がアウタハウジング９のフード部５内に収容された状態で、アウタハウジング９の端子挿入孔７に挿入される。この端子挿入孔７に挿入された一方の変形防止リブ１７の先端側には、相手端子１５に係止して抜け止めを行う係止ランス１９が設けられている。
【００３７】
係止ランス１９は、端子挿入孔７の内壁から内壁側に向けて撓み可能に突設されている。この係止ランス１９は、端子挿入孔７に挿入された相手端子１５によって内壁側に向けて撓まされ、相手端子１５が端子挿入孔７の正規位置に位置することにより復元されて相手端子１５の係合孔に係合し、相手端子１５の抜け止めを行う。このような係止ランス１９と端子挿入孔７との間には、一方の変形防止リブ１７を挿入可能な挿入溝２１が設けられている。
【００３８】
挿入溝２１は、各端子挿入孔７の上側に各端子挿入孔７を連通するようにアウタハウジング９の幅方向に沿って設けられている。この挿入溝２１内には、インナハウジング３をアウタハウジング９のフード部５内に収容することによって、一方の変形防止リブ１７が挿入されると共に、相手端子１５を端子挿入孔７に挿入することによって、上方に撓まされた係止ランス１９が収容される。
【００３９】
このため、図７に示すように、相手端子１５が係止ランス１９に係止されず、係止ランス１９を上方に撓ませた半挿入状態では、係止ランス１９が挿入溝２１内に位置されるので、一方の変形防止リブ１７が係止ランス１９と当接し、一方の変形防止リブ１７を挿入溝２１に挿入することができない。このとき、相手端子１５は、端子１３の接続部１１に接続された状態となっている。
【００４０】
この一方の変形防止リブ１７と係止ランス１９との当接により、インナハウジング３を仮係止位置からアウタハウジング９のフード部５内の正規位置に位置させることができず、相手端子１５の半挿入状態を検知することができる。
【００４１】
一方、図８に示すように、相手端子１５が係止ランス１９に係止された正規挿入状態では、係止ランス１９が復元されて挿入溝２１内に位置されていないので、一方の変形防止リブ１７を挿入溝２１に挿入させることができ、インナハウジング３を仮係止位置からアウタハウジング９のフード部５内の正規位置に位置させることができる。このとき、相手端子１５は、半挿入状態ですでに端子１３の接続部１１に接続されているので、インナハウジング３の本係止位置への移行時に端子挿入力のピーク値が加わることがなく、挿入力を低減することができる。
【００４２】
このようなコネクタ１では、インナハウジング３にアウタハウジング９の端子挿入孔７と対向する側面から端子１３の接続部１１を覆うように延設され、インナハウジング３がアウタハウジング９のフード部５に収容された状態で少なくともいずれか一方が端子挿入孔７に挿入される一対の変形防止リブ１７，１７が設けられているので、少なくともいずれか一方が端子挿入孔７に挿入されるような間口の狭い一対の変形防止リブ１７，１７間に端子１３の接続部１１が配置されていることになる。
【００４３】
従って、このようなコネクタ１では、端子１３の接続部１１が間口の狭い一対の変形防止リブ１７，１７間に配置されているので、搬送時などにおける端子１３の接続部１１への外力の影響を抑制することができ、端子１３の接続部１１の変形を防止することができる。
【００４４】
また、一方の変形防止リブ１７は、係止ランス１９が相手端子１５によって挿入溝２１内に撓まされた状態で係止ランス１９に当接され、係止ランス１９が相手端子１５を係止した状態で挿入溝２１に挿入可能であるので、一方の変形防止リブ１７の挿入溝２１への挿入状態、すなわちインナハウジング３のアウタハウジング９への挿入状態によって、相手端子１５の挿入状態を検知することができる。加えて、相手端子１５の挿入状態を検知するための別部材を用いる必要がなく、部品点数を削減することができる。
【００４５】
さらに、相手端子１５は、一方の変形防止リブ１７が係止ランス１９に当接した状態で端子１３の接続部１１に接続されるので、相手端子１５が係止ランス１９に本係止されていない状態、すなわちインナハウジング３とアウタハウジング９との仮係止状態で端子１３と相手端子１５とが接続される。このため、インナハウジング３とアウタハウジング９とが本係止状態に移行する際の相手端子１５と端子１３の接続部１１との挿入力を低減することができる。
【００４６】
また、一対の変形防止リブ１７，１７は、複数の端子１３の配列方向に沿って連続する一部材で形成されているので、一対の変形防止リブ１７，１７の剛性を向上することができると共に、広い範囲で端子１３の接続部１１を保護することができる。
【００４７】
なお、本発明の実施の形態に係るコネクタでは、インナハウジングの幅方向に複数列配置された複数の端子が２段配置されているが、これに限らず、１段、或いは２段以上配置させてもよい。この場合には、各段に配置される端子の接続部に合わせて一対の変形防止リブをインナハウジングに設ければよい。
【符号の説明】
【００４８】
１…コネクタ
３…インナハウジング
５…フード部
７…端子挿入孔
９…アウタハウジング
１１…接続部
１３…端子
１５…相手端子
１７…変形防止リブ
１９…係止ランス
２１…挿入溝
【図１】
2014120424.tif 000003
【図２】
2014120424.tif 000004
【図３】
2014120424.tif 000005
【図４】
2014120424.tif 000006
【図５】
2014120424.tif 000007
【図６】
2014120424.tif 000008
【図７】
2014120424.tif 000009
【図８】
2014120424.tif 000010